(57)【要約】【課題】  火災発生時に、容器本体に固定されている放出ホースのノズルを容器本体から簡単な操作で容易に且つ素早く分離することができ、同時に通常の取り扱いでは、ノズルが容器本体から安易に分離しない消火器を得る。【解決手段】  レバー操作により容器本体２内に収容されている不活性ガス或いは消火薬剤等を放出ホース６から放出する消火器１において、容器本体２の下部側外周に、面ファスナー８を構成するループ面とフック面のいずれか一方の掛止面部８ａを取り付け、放出ホース６のノズル５側に他方の掛止面部８ｂを取り付け、放出ホース６のノズル５側を容器本体２の下部側外周に着脱可能に固定する。【選択図】  図１
2016189849.tif 000002
【特許請求の範囲】
【請求項１】
レバー操作により容器本体内に収容されている不活性ガス或いは消火薬剤等を放出ホースから放出する消火器において、
前記容器本体の下部側外周に、面ファスナーを構成するループ面とフック面のいずれか一方の掛止面部を取り付け、前記放出ホースのノズル側に他方の掛止面部を取り付け、前記放出ホースのノズル側を前記容器本体の下部側外周に着脱可能に固定することを特徴とする消火器。
【発明の詳細な説明】
【技術分野】
【０００１】
本発明は、レバー操作により容器本体内に収容されている不活性ガス或いは消火薬剤等を放出ホースから放出する可搬型の消火器に関するものである。
【背景技術】
【０００２】
室内或いは室外に設置され、火災の初期消火に使用される消火器として、レバー操作により容器本体内に収容されている不活性ガス或いは消火薬剤等を放出ホースから放出する可搬型の消火器が広く使用されている。
このような消火器にあっては、放出ホースのノズル側を容器本体に分離可能に固定するホース固定手段を備えており、通常は、放出ホースのノズル側が容器本体に固定され、火災発生時にノズル側を容器本体から分離して使用されるようになっている。
放出ホースのノズル側を容器本体に分離可能に固定するホース固定手段にあっては、火災発生時にノズル側を容器本体から簡単な操作で容易に且つ素早く分離できることが求められる。
【０００３】
従来、このようなホース固定手段を備えた消火器として、容器本体の下部側外周面に、放出ホースのノズルを差し込ませて固定するノズル固定部を設けた消火器（例えば、特許文献１参照。）や、放出ホースを挟み込んで固定するノズル固定部を設けた消火器（例えば、特許文献２参照。）が知られている。
これらのノズル固定部は、その多くが金属で形成され、容器本体の外周面に溶接により取り付けられている。
【先行技術文献】
【特許文献】
【０００４】
【特許文献１】特開２００３−２７５３３４号公報
【特許文献２】特開２０００−１７６０３８号公報
【発明の概要】
【発明が解決しようとする課題】
【０００５】
上記のようなホース固定手段を備えた消火器にあっては、火災発生時にノズルをノズル固定部から簡単な操作で外し、容器本体から容易に且つ素早く分離できるが、反面、ノズル固定部から外れ易く、そのため、例えば消火器を移動させた時などに放出ホースがノズル固定部から外れ容器本体から分離してしまうことがあり、その都度放出ホースをノズル固定部に差し込み或いは挟み込んで固定しなければならないといった煩わしい作業が発生するといった問題があった。
【０００６】
本発明の目的は、火災発生時に、容器本体に固定されている放出ホースのノズルを容器本体から簡単な操作で容易に且つ素早く分離することができ、同時に通常の取り扱いでは、ノズルが容器本体から安易に分離しない消火器を提供することにある。
【課題を解決するための手段】
【０００７】
上記の目的を達成するために、請求項１に記載の発明は、レバー操作により容器本体内に収容されている不活性ガス或いは消火薬剤等を放出ホースから放出する消火器において、前記容器本体の下部側外周に、面ファスナーを構成するループ面とフック面のいずれか一方の掛止面部を取り付け、前記放出ホースのノズル側に他方の掛止面部を取り付け、前記放出ホースのノズル側を前記容器本体の下部側外周に着脱可能に固定することを特徴とする。
【発明の効果】
【０００８】
本発明に係る消火器によれば、前記容器本体の下部側外周面に、面ファスナーを構成するループ面とフック面のいずれか一方の掛止面部を取り付け、前記放出ホースのノズル側に他方の掛止面部を取り付け、前記放出ホースのノズル側を前記容器本体の下部側外周に着脱可能に固定するようにしたので、前記容器本体の下部側外周面に取り付けた面ファスナーを構成する一方の掛止面部に、前記放出ホースのノズル側に取り付けた他方の掛止面部を押しつけるといった簡単な操作により、前記容器本体に前記放出ホースを固定することができ、また、火災発生時に、前記容器本体から前記放出ホースのノズル側を引き離すといった簡単な操作により、前記放出ホースを前記容器本体から容易に且つ素早く分離することができる。
【０００９】
また、通常の取り扱いでは、前記面ファスナーで固定された前記放出ホースと前記容器本体は安易に分離せず、例えば消火器を移動させた時などに前記放出ホースが前記容器本体から分離してしまうといったことがなくなり、従来のような、放出ホースをノズル固定部に差し込み或いは挟み込んで再固定しなければならないといった煩わしい作業は発生しない。
仮に、前記放出ホースに強い力が加わり前記放出ホースが前記容器本体から分離してしまった場合でも、前記したように、前記容器本体の下部側外周面に取り付けた面ファスナーを構成する一方の掛止面部に、前記放出ホースのノズル側に取り付けた他方の掛止面部を押しつけるといった簡単な操作により、前記容器本体に前記放出ホースを容易に再固定することができる。
【００１０】
また、前記放出ホースを前記容器本体に固定する前記面ファスナーは、面接着といった手段により前記放出ホースを前記容器本体に取り付けることができるので、従来のような溶接により取り付けられるノズル固定部に比べ、はるかに容易に取り付けることができる。
また、面ファスナーであるため従来のノズル固定部のように容器本体から突出しないので、消火器設置の省スペース化を図ることができる。
【図面の簡単な説明】
【００１１】
【図１】本発明に係る消火器の実施の形態の一例を示す斜視図である。
【発明を実施するための形態】
【００１２】
以下、本発明に係る消火器の実施の形態の一例を図１を参照して詳細に説明する。
本例の消火器１は、消火薬剤を充填した容器本体２の口部３にバルブケース４が固定されている。バルブケース４には、一端を容器本体２内に開口し他端が容器本体２外に開口する消火薬剤流路（図示せず）が形成されており、容器本体２内に開口する開口部にサイフォン管（図示せず）が取り付けられ、容器本体２外に開口する開口部には先端にノズル５を備えた放出ホース６が取り付けられている。
バルブケース４には消火薬剤流路を開閉する操作レバー７が備えられ、操作レバー７の操作により消火薬剤流路を開き、消火薬剤を放出ホース６のノズル５から放出するようになっている。
【００１３】
容器本体２の胴部２ａの下部側外周面に、面ファスナー８を構成するループ面とフック面のいずれか一方の掛止面部８ａが取り付けられ、放出ホース６の先端部に他方の掛止面部８ｂが取り付けられている。
本例では、容器本体２の胴部２ａの下部側外周面に取り付けられた掛止面部８ａ（以下、単に容器本体２側の掛止面部８ａという。）はループ面となっており、両面テープで容器本体２の胴部２ａの下部側外周面に接着されている。
また、放出ホース６の先端部に取り付けられた掛止面部８ｂ（以下、単に放出ホース６側の掛止面部８ｂという。）はフック面となっており、両面テープで放出ホース６の先端部に巻き付けるように接着されている。
容器本体２側の掛止面部８ａの面の大きさにあっては、縦方向が放出ホース６側の掛止面部８ｂが内側に収まる長さで、横方向が容器本体２の胴部２ａの概ね１／４周の長さの矩形状に形成されている。
【００１４】
このように構成された本例の消火器１によれば、容器本体２側の掛止面部８ａに、放出ホース６側の掛止面部８ｂを押しつけるといった簡単な操作により、掛止面部８ａのループ面と掛止面部８ｂのフック面が掛止し、容器本体２に放出ホース６が固定される。
そして、容器本体２から放出ホース６を分離させる場合、放出ホース６のノズル５側を引き離すといった簡単な操作により、掛止面部８ａのループ面と掛止面部８ｂのフック面の掛止を外し、放出ホース６を容器本体２から容易に且つ素早く分離することができる。
【００１５】
また、通常の取り扱いでは、ループ面とフック面が掛止している容器本体２側の掛止面部８ａのループ面と放出ホース６側の掛止面部８ｂのフック面の掛止が外れるおそれはなく、面ファスナー８で固定された放出ホース６と容器本体２は安易に分離しない。このことから、例えば消火器を移動させた時などに放出ホース６が容器本体２から分離してしまうといったことがなく、従来のような、放出ホースをノズル固定部に差し込み或いは挟み込んで再固定しなければならないといった煩わしい作業は発生しない。
【００１６】
また、仮に、放出ホース６に強い力が加わり、放出ホース６が容器本体２から分離してしまった場合でも、容器本体２側の掛止面部８ａに、放出ホース６側の掛止面部８ｂを押しつけるといった簡単な操作により、容器本体２に放出ホース６を容易に再固定することができる。
【００１７】
なお、本例では、容器本体２側の掛止面部８ａがループ面となっており、放出ホース６側の掛止面部８ｂがフック面となっているが、容器本体２側の掛止面部８ａがフック面となり、放出ホース６側の掛止面部８ｂがループ面となっていてもよい。
【符号の説明】
【００１８】
１  消火器
２  容器本体
２ａ  胴部
３  口部
４  バルブケース
５  ノズル
６  放出ホース
７  操作レバー
８  面ファスナー
８ａ  一方の掛止面部
８ｂ  他方の掛止面部
【図１】
2016189849.tif 000003